(57)【要約】【課題】現行の放送受信装置では、チャンネル情報に基づいて選局し・視聴するために、視聴したいチャンネルが複数あった時に再生することができない。【解決手段】本発明の放送受信装置は、放送信号を受信する受信制御部と、前記受信制御部により受信した放送信号から番組情報を取得する情報取得部と、前記情報取得部により取得した番組情報やチャンネル情報から個々のチャンネルの構成要素を再生するための情報を一元管理する情報管理部と、受信した放送信号から番組を再生する再生部と、ユーザからの操作を受け付ける入力制御部と、前記情報取得部の情報やメニュー画面を表示する表示部と、前述の各部をコントロールするＣＰＵとを備えた放送受信装置であって、前記番組情報管理部にて保持する番組情報を用いて受信可能な番組を構成する要素を同時に再生するための独自番組情報管理部を備える。【選択図】図５
2006041978.tif 000002
【特許請求の範囲】
【請求項１】
放送信号を受信する受信制御部と、前記受信制御部により受信した放送信号から番組情報を取得する情報取得部と、前記情報取得部により取得した番組情報やチャンネル情報から個々のチャンネルの構成要素を再生するための情報を一元管理する情報管理部と、受信した放送信号から番組を再生する再生部と、ユーザからの操作を受け付ける入力制御部と、前記情報取得部の情報やメニュー画面を表示する表示部と、前述の各部をコントロールするＣＰＵとを備えた放送受信装置であって、前記番組情報管理部にて保持する番組情報を用いて受信可能な番組を構成する要素を同時に再生するための独自番組情報管理部を備えることを特徴とする放送受信装置。
【請求項２】
番組情報を取得するための通信制御部をさらに備えることを特徴とする請求項１記載の放送受信装置。
【請求項３】
請求項１記載の表示部は、前記独自番組情報管理部により取得した番組の構成要素を出力することを特徴とする放送受信装置。
【請求項４】
請求項１記載の表示部は、番組の構成要素の種類に応じて別々の一覧表示として同時に出力することを特徴とする請求項１記載の放送受信装置。
【請求項５】
請求項３あるいは請求項４記載の表示部で出力された番組構成要素（ＥＳ）の中から、前記入力制御部により番組構成要素（ＥＳ）を選択することでその構成要素を再生することを特徴とする放送受信装置。
【請求項６】
請求項１記載の再生部は、別チャンネルの構成要素を再生中の状態において同一のチャンネルを構成する要素を再生する状態に戻す機能をさらに有することを特徴とする放送受信装置。
【請求項７】
請求項１記載の表示部は、別チャンネルの構成要素を再生中の状態において同一のチャンネルを構成する要素を再生する状態に戻す機能を有するメニュー画面を出力することを特徴とする放送受信装置。
【請求項８】
請求項１記載の独自番組情報管理部は、再生中の状態を独自番組情報として記憶しておき、記憶しておいた独自番組情報を読み出し設定することで以前視聴した独自再生状態に戻すことを特徴とする放送受信装置。
【請求項９】
請求項１記載の表示部は、独自番組情報管理部にて保持している独自番組情報一覧を出力し、ユーザによって選択された独自番組情報を読み出し設定することで以前視聴した独自番組を視聴する状態にする機能をさらに有することを特徴とする放送受信装置。
【請求項１０】
請求項１記載の表示部は、前記再生部にて現在再生中の別チャンネルを構成する要素を識別可能な表示をすることを特徴とする放送受信装置。
【請求項１１】
放送信号を受信する受信制御ステップと、前記受信制御ステップにより受信した放送信号から番組情報を取得する情報取得ステップと、前記情報取得ステップにより取得した番組情報やチャンネル情報から個々のチャンネルの構成要素を再生するための情報を一元管理する情報管理ステップと、受信した放送信号から番組を再生する再生ステップと、ユーザからの操作を受け付ける入力制御ステップと、前記情報取得ステップの情報やメニュー画面を表示する表示ステップと、前述の各部をコントロールするステップからなる放送受信方法であって、前記番組情報管理ステップにて保持する番組情報を用いて受信可能な番組を構成する要素を同時に再生するための独自番組情報管理ステップを有することを特徴とする放送受信方法。
【請求項１２】
番組情報を取得するための通信制御ステップをさらに有することを特徴とする請求項１記載の放送受信方法。
【請求項１３】
請求項１記載の表示ステップは、前記独自番組情報管理ステップにより取得した番組の構成要素を出力することを特徴とする放送受信方法。
【請求項１４】
請求項１記載の表示ステップは、番組の構成要素の種類に応じて別々の一覧表示として同時に出力することを特徴とする請求項１記載の放送受信方法。
【請求項１５】
請求項３あるいは請求項４記載の表示ステップで出力された番組構成要素（ＥＳ）の中から、前記入力制御ステップにより番組構成要素（ＥＳ）を選択することでその構成要素を再生することを特徴とする放送受信方法。
【請求項１６】
請求項１記載の再生ステップは、別チャンネルの構成要素を再生中の状態において同一のチャンネルを構成する要素を再生する状態に戻す機能をさらに有することを特徴とする放送受信方法。
【請求項１７】
請求項１記載の表示ステップは、別チャンネルの構成要素を再生中の状態において同一のチャンネルを構成する要素を再生する状態に戻す機能を有するメニュー画面を出力することを特徴とする放送受信方法。
【請求項１８】
請求項１記載の独自番組情報管理ステップは、再生中の状態を独自番組情報として記憶しておき、記憶しておいた独自番組情報を読み出し設定することで以前視聴した独自再生状態に戻すことを特徴とする放送受信方法。
【請求項１９】
請求項１記載の表示ステップは、独自番組情報管理ステップにて保持している独自番組情報一覧を出力し、ユーザによって選択された独自番組情報を読み出し設定することで以前視聴した独自番組を視聴する状態にする機能をさらに有することを特徴とする放送受信方法。
【請求項２０】
請求項１記載の表示ステップは、前記再生ステップにて現在再生中の別チャンネルを構成する要素を識別可能な表示をすることを特徴とする放送受信方法。
【請求項２１】
放送信号を受信する受信制御ステップと、前記受信制御ステップにより受信した放送信号から番組情報を取得する情報取得ステップと、前記情報取得ステップにより取得した番組情報やチャンネル情報から個々のチャンネルの構成要素を再生するための情報を一元管理する情報管理ステップと、受信した放送信号から番組を再生する再生ステップと、ユーザからの操作を受け付ける入力制御ステップと、前記情報取得ステップの情報やメニュー画面を表示する表示ステップと、前述の各部をコントロールするステップからなる放送受信方法であって、前記番組情報管理ステップにて保持する番組情報を用いて受信可能な番組を構成する要素を同時に再生するための独自番組情報管理ステップを有することを特徴とするプログラムを記録した記録媒体。
【請求項２２】
番組情報を取得するための通信制御ステップをさらに有することを特徴とする請求項１記載のプログラムを記録した記録媒体。
【請求項２３】
請求項１記載の表示ステップは、前記独自番組情報管理ステップにより取得した番組の構成要素を出力することを特徴とするプログラムを記録した記録媒体。
【請求項２４】
請求項１記載の表示ステップは、番組の構成要素の種類に応じて別々の一覧表示として同時に出力することを特徴とする請求項１記載のプログラムを記録した記録媒体。
【請求項２５】
請求項３あるいは請求項４記載の表示ステップで出力された番組構成要素（ＥＳ）の中から、前記入力制御ステップにより番組構成要素（ＥＳ）を選択することでその構成要素を再生することを特徴とするプログラムを記録した記録媒体。
【請求項２６】
請求項１記載の再生ステップは、別チャンネルの構成要素を再生中の状態において同一のチャンネルを構成する要素を再生する状態に戻す機能をさらに有することを特徴とするプログラムを記録した記録媒体。
【請求項２７】
請求項１記載の表示ステップは、別チャンネルの構成要素を再生中の状態において同一のチャンネルを構成する要素を再生する状態に戻す機能を有するメニュー画面を出力することを特徴とするプログラムを記録した記録媒体。
【請求項２８】
請求項１記載の独自番組情報管理ステップは、再生中の状態を独自番組情報として記憶しておき、記憶しておいた独自番組情報を読み出し設定することで以前視聴した独自再生状態に戻すことを特徴とするプログラムを記録した記録媒体。
【請求項２９】
請求項１記載の表示ステップは、独自番組情報管理ステップにて保持している独自番組情報一覧を出力し、ユーザによって選択された独自番組情報を読み出し設定することで以前視聴した独自番組を視聴する状態にする機能をさらに有することを特徴とするプログラムを記録した記録媒体。
【請求項３０】
請求項１記載の表示ステップは、前記再生ステップにて現在再生中の別チャンネルを構成する要素を識別可能な表示をすることを特徴とするプログラムを記録した記録媒体。
【請求項３１】
放送信号を受信する受信制御手段と、前記受信制御手段により受信した放送信号から番組情報を取得する情報取得手段と、前記情報取得手段により取得した番組情報やチャンネル情報から個々のチャンネルの構成要素を再生するための情報を一元管理する情報管理手段と、受信した放送信号から番組を再生する再生手段と、ユーザからの操作を受け付ける入力制御手段と、前記情報取得手段の情報やメニュー画面を表示する表示手段と、前述の各部をコントロールする手段からなる放送受信方法であって、前記番組情報管理手段にて保持する番組情報を用いて受信可能な番組を構成する要素を同時に再生するための独自番組情報管理手段を有することを特徴とするプログラム。
【請求項３２】
番組情報を取得するための通信制御手段をさらに有することを特徴とする請求項１記載のプログラム。
【請求項３３】
請求項１記載の表示手段は、前記独自番組情報管理手段により取得した番組の構成要素を出力することを特徴とするプログラム。
【請求項３４】
請求項１記載の表示手段は、番組の構成要素の種類に応じて別々の一覧表示として同時に出力することを特徴とする請求項１記載のプログラム。
【請求項３５】
請求項３あるいは請求項４記載の表示手段で出力された番組構成要素（ＥＳ）の中から、前記入力制御手段により番組構成要素（ＥＳ）を選択することでその構成要素を再生することを特徴とするプログラム。
【請求項３６】
請求項１記載の再生手段は、別チャンネルの構成要素を再生中の状態において同一のチャンネルを構成する要素を再生する状態に戻す機能をさらに有することを特徴とするプログラム。
【請求項３７】
請求項１記載の表示手段は、別チャンネルの構成要素を再生中の状態において同一のチャンネルを構成する要素を再生する状態に戻す機能を有するメニュー画面を出力することを特徴とするプログラム。
【請求項３８】
請求項１記載の独自番組情報管理手段は、再生中の状態を独自番組情報として記憶しておき、記憶しておいた独自番組情報を読み出し設定することで以前視聴した独自再生状態に戻すことを特徴とするプログラム。
【請求項３９】
請求項１記載の表示手段は、独自番組情報管理手段にて保持している独自番組情報一覧を出力し、ユーザによって選択された独自番組情報を読み出し設定することで以前視聴した独自番組を視聴する状態にする機能をさらに有することを特徴とするプログラム。
【請求項４０】
請求項１記載の表示手段は、前記再生手段にて現在再生中の別チャンネルを構成する要素を識別可能な表示をすることを特徴とするプログラム。
【発明の詳細な説明】
【技術分野】
【０００１】
本発明は、別チャンネルの映像と音声を選択し、同時に再生させることを特徴とする放送受信装置に関する。
【背景技術】
【０００２】
現在の放送受信機を視聴する時には、ある特定の番組を選択し、その番組についての映像データ・音声データを復調・再生させることで番組を視聴することができる。最近ではＢＳデジタル放送、ＣＳデジタル放送、さらには地上デジタル放送といったデジタル放送サービスが開始され、ユーザはこれらの多チャンネル放送サービスを、放送受信機を使用することで多くのチャンネルの中から番組を選択・視聴することができる。
【０００３】
このようなデジタル放送受信装置として、図１に示すデジタル放送受信装置がある（例えば、特許文献１参照）。図１に示すデジタル放送受信装置を従来例１とする。
【０００４】
従来例１に示す受信機は、ある放送における特定の番組を選択・視聴可能とすることを特徴としている。具体的には従来例１に示す受信機においては、アンテナで衛星からの放送信号が受信され、アンテナで受信された放送信号は受信機のチューナー部に供給され、チューナー部では受信信号の中から所定のチャンネルの信号が選択され、その信号が復調回路に供給される。
【０００５】
この受信機において放送を視聴する時には、例えば地上デジタル放送などでは、まずチャンネル番号あるいはＥＰＧ（Ｅｌｅｃｔｒｉｃ  Ｐｒｏｇｒａｍ  Ｇｕｉｄｅ）に表示されている放送サービスといった情報を指定すると、放送信号内にＰＡＴ（Ｐｒｏｇｒａｍ  Ａｓｓｏｃｉａｔｉｏｎ  Ｔａｂｌｅ）と呼ばれるテーブル情報が送出されており、受信制御部＊＊＊によりＰＡＴのデータを取得する。該当サービスのＰＡＴの情報から同様に放送信号として送出している該当サービスのＰＭＴ（Ｐｒｏｇｒａｍ  Ｍａｐ  Ｔａｂｌｅ）を特定する。ＰＭＴ内には該当サービスの映像データＴＳ・音声データＴＳなどを特定するための識別子が記述されており、これにより再生するデータを指定、＊＊によって出力される。
【特許文献１】特開平１１−０１８０２０号公報
【発明の開示】
【発明が解決しようとする課題】
【０００６】
しかしながら従来の発明によると、１チューナーの放送受信装置において特定のチャンネル番号を選局した場合にそのチャンネルに該当する映像や音声のデータを再生することしかできず、複数のチャンネルにまたがって同時に再生することができなかった。このため、ユーザが視聴したい番組が複数あって、それが映像を見たい番組とラジオのような音声のみの番組であっても、両方の番組を視聴するには、片方の番組を裏番組録画するための環境を整えるか、頻繁にチャンネルを切り換えるといったことをしなければならなかった。あるいは２台目の放送受信装置を別途購入し、放送を視聴できるように設置する必要があった。
【課題を解決するための手段】
【０００７】
この問題を解決するために本発明では、映像や音声等についてそれぞれ別のチャンネルを構成するデータを同時再生する仕組みを実現する。
【発明の効果】
【０００８】
本発明によれば、別のチャンネルの映像と音声を同時に再生することで、例えばラジオチャンネルの音声を聴きながら、他のチャンネルの映像を楽しむといったことが１台の放送受信装置で可能になり、よりユーザにとって自由度の高い放送サービスの視聴方法を提供できる。
【発明を実施するための最良の形態】
【０００９】
（実施の形態１）
本発明の第１の実施の形態について説明する。図２は、本発明の実施形態である放送受信装置のソフトウェア構成を示す。図２内の２００内が本発明におけるソフトウェア構成である。以下、ソフトウェア構成の各部について説明する。
【００１０】
受信制御部２０１は、受信信号周波数を設定する等チューナーを制御し、放送信号を受信する。再生部２０２は、受信制御部２０１からＴＳの入力を受けて、情報管理部２０４にて取得した番組情報あるいは独自番組情報管理部２０５から番組構成要素（ＥＳ）に関する情報を取得し映像や音声をデコード処理する。情報取得部２０３は、受信した放送信号を復調するなどすることで、受信した信号内に含まれている放送番組やチャンネルに関する情報を取得する。情報取得の手段としては、通信インタフェースを備える放送受信機において、一般的な通信手段を通信制御部２０８を用いてネットワークを介したり、情報を格納した外部記憶装置との接続を介したりといった方法で情報を取得することもできる。
【００１１】
情報管理部２０４は、情報取得部２０３にて取得した情報の中から本発明による番組再生のために必要なサービスＩＤ情報や相対ＴＳＩＤ情報、さらには映像ＥＳＩＤ情報や音声ＥＳ情報といった情報を各一組にして全ての情報を整理・管理する。独自番組情報管理部２０５は、情報管理部２０４にて管理されている情報から、ユーザが独自に再生するサービスＩＤ情報や相対ＴＳＩＤ情報、さらには映像ＥＳＩＤ情報や音声ＥＳ情報といった情報を１組にして設定し、独自再生状態を実現するための情報を管理する。
【００１２】
表示部２０６は、入力制御部２０７にて受けた指令を元にＥＰＧメニュー画面といったユーザインタフェースを表示したり、情報管理部２０４や独自番組情報管理部２０５が保持する情報を画面に表示したりする。入力制御部２０７は、一覧表示した番組構成要素（ＥＳ）から、特定の番組構成要素（ＥＳ）を選択するためのカーソルを移動させたり、選択確定することで独自番組情報管理部から情報取得して独自再生状態にするよう再生部２０２に通知したり、本発明の独自再生状態から通常再生状態に戻す要求を再生部２０２に通知したりする。
【００１３】
通信制御部２０８は、ネットワークを介して番組情報を取得して情報取得部２０３へ通知したり、ユーザ操作に関する信号をネットワークを介して受け付け、入力制御部２０７に通知したりする。通信制御部２０８は、番組情報の取得については受信制御部２０１による番組情報の取得と併用でき、またユーザ操作をネットワーク経由で取得する機能などがなくとも通常の放送受信装置としての機能に支障はないため、備えていなくても本発明の実現には問題はない。
【００１４】
情報管理部２０４および独自番組情報管理部２０５での情報管理の内容の例を図３に示す。３０１は、通常の選局処理等、一般的な放送受信装置に用いられると考えられる管理情報である。これらは情報管理部にて管理される。３０２は、独自番組情報管理部にて管理する情報を示し、独自番組を設定したりするために必要なものを一元管理する。情報管理部では、従来の放送受信装置がもつ通常の選局処理にて必要な情報を管理する。したがって情報管理部にて管理する情報は、ＥＳが属するチャンネルのチャンネル番号・そのチャンネルが属するＴＳのＩＤ情報・そのチャンネルを構成する映像や音声といった番組構成要素（ＥＳ）それぞれのＩＤ情報である。
【００１５】
独自番組情報管理部は、独自番組の選局に余蘊必要な情報を一元管理している。番組構成要素（ＥＳ）を区別するために必要な情報は、現在実現されているデジタル放送システムにおいては次のようなものが考えられる。まず再生すべき映像ＥＳや音声ＥＳを特定するためのＩＤ情報が必要である。また、デジタル放送などは特定の信号周波数内でＴＳが複数多重化されており、それぞれの相対ＴＳ内においては各ＥＳのＩＤ情報は唯一であるが、相対ＴＳＩＤ間でもＥＳＰＩＤ情報が固有であるとは限らないため、相対ＴＳＩＤ情報もまた必要である。また独自再生状態から通常再生状態に戻す時を想定すると、独自再生状態においても、それぞれ再生中の番組構成要素（ＥＳ）がどのチャンネルの情報であるかを保持しておくことで、その後どの番組構成要素（ＥＳ）を基準として通常再生状態に戻す場合でもチャンネル情報が特定でき、従来からあるデジタル放送受信機が持つ通常選局の機能を利用することで容易に実現できる。
【００１６】
したがって独自番組情報管理部にて管理する情報は、独自番組情報の管理番号・映像ＥＳが属するチャンネルのチャンネル番号・そのチャンネルが属するＴＳのＩＤ情報・映像ＥＳのＩＤ情報と、音声ＥＳが属するチャンネルのチャンネル番号・そのチャンネルが属するＴＳのＩＤ情報・映像ＥＳのＩＤ情報である。
【００１７】
現行のデジタル放送サービスはＴＳが多重化されており、同一の信号周波数で複数のＴＳを受信することができる。これらのＴＳにはそれぞれを識別するための相対ＴＳＩＤなるものが付与されている。ＰＭＴに記述されている映像ＥＳや音声ＥＳの識別子は同一の相対ＴＳ内では異なるが、異なる相対ＴＳ間では同じ識別子の値が用いられることが考えられる。このため、番組を構成する要素を特定し再生するために、相対ＴＳＩＤの情報と映像ＥＳおよび音声ＥＳのＩＤを取得することが必要である。
【００１８】
本発明によりユーザが独自番組を選択してからそれぞれの番組構成要素（ＥＳ）を再生して独自再生状態にする処理について説明する。ここでは、通常再生状態において、番組構成要素（ＥＳ）一覧画面から特定の番組構成要素（ＥＳ）を選択して、独自再生状態にする画面を想定している。
【００１９】
通常再生状態において、入力制御部＊＊＊から番組構成要素（ＥＳ）一覧画面を表示するように指令がされる。指令をする方法の例としては、リモコンのある特定のボタンに番組構成要素（ＥＳ）一覧画面を表示する機能を割り当てている状態で、そのボタンをユーザが入力する方法、あるいはユーザ操作によってあるメニュー画面を表示し、メニュー内に独自再生状態にする機能をもつ選択項目を設け、ユーザがリモコンなどの入力によりその項目を選択する方法などが考えられる。
【００２０】
番組構成要素（ＥＳ）一覧画面にて、ユーザが再生したい番組構成要素（ＥＳ）を選択すると、が入力制御部２０７から指令を受け、カーソル位置に該当する番組情報を独自番組情報管理部２０５で取得して再生部２０２にて設定する。アンテナによって受信された放送電波は、受信制御部２０１においてチャンネルの信号が抽出され、それとともに情報取得部２０３において、受信した信号内に含まれるチャンネル番号やそのチャンネルで放送される番組を構成する映像データとその識別子・音声データとその識別子といった情報を取得・設定済みデータと照合する。ここでは例えばＰＡＴ（Ｐｒｏｇｒａｍ  Ａｓｓｏｃｉａｔｉｏｎ  Ｔａｂｌｅ）から再生部にて設定済みのそのチャンネルで放送している該当サービスのＰＭＴ（Ｐｒｏｇｒａｍ  Ｍａｐ  Ｔａｂｌｅ）のＩＤを取得し、再生部にて設定済みの映像ＥＳ（Ｅｌｅｍｅｎｔａｒｙ  Ｓｔｒｅａｍ）や音声ＥＳのＩＤ情報を取得し、設定済みのＥＳのＩＤ情報であることを確認後、該当するＥＳデータを映像・音声信号に変換しテレビやビデオに出力される。
【００２１】
番組構成要素（ＥＳ）を独自に選択した状態で視聴する機能を頻繁に利用するユーザがいた場合、そのユーザにとって毎回番組構成要素（ＥＳ）を選択して独自再生状態にするのは手間がかかると考えられる。次に、独自再生状態を記憶しておきより簡単にその状態を再現させる機能について説明する。
【００２２】
本機能は、独自番組設定機能・独自番組表示機能・独自番組選択機能の３つの機能から構成される。
【００２３】
本発明の機能を実現した放送受信機の利用例として、独自番組関連機能について説明する。独自番組メニュー画面の例を図４に示す。
【００２４】
４０１は独自番組設定関連メニューである。選択項目４０２は、登録されている独自番組の情報を一覧表示する。一覧表示後その中から任意の独自番組を選択することで、選択した独自番組の番組構成要素（ＥＳ）を再生する独自番組一覧表示機能および独自番組選択機能を有する。選択項目４０３は、独自再生状態から一般の放送受信機が持つチャンネルごとの選局をした状態に戻す機能を有する。選択項目４０４は、独自再生として登録するための画面表示を有する。登録画面表示後、ユーザが独自番組を作成したり保存したりすることができる。
【００２５】
次にそれぞれの機能の詳細を説明する。独自番組一覧表示画面の例を図５に示す。５０１は独自番組一覧表示メニューである。５０２は独自番組の登録番号を示す表示である。独自番組再生を利用する機能が別にあって、独自番組を番号指定するような機能を追加した場合に、登録番号から再生に必要な情報を容易に関連させることができる。例えば独自番組を録画予約する時に独自番組番号を指定するようにすれば、ユーザにとっては通常放送されている番組を予約する時と同様の感覚で予約設定を行うことができる。
【００２６】
５０３は同じ行の独自番組登録番号に設定されている映像識別を表示する。図５の例では、独自番組１の映像はＢＳ１０１ｃｈの映像１のＥＳが割り当てられていることを示す。同様に、５０４は同じ行の独自番組登録番号に設定されている音声識別を表示する。図５の例では、独自番組１の音声はＢＳ１０３ｃｈの英語のＥＳが割り当てられていることを示す。５０５はカーソルである。ユーザからの入力などを入力制御部２０７を介して受け付け、カーソルを移動させ、再生する独自番組を選択する。カーソル５０５を移動させるだけで現在のカーソル上の独自番組として登録されている番組構成要素（ＥＳ）を再生してもよいし、カーソル移動した後に、ユーザから選択決定の意思をユーザ操作部を介して受け付けた後に独自番組を構成している番組構成要素（ＥＳ）を再生してもよい。
【００２７】
再生する独自番組が選択・決定されてから実際に再生されるまでの処理において登録済みの情報と異なる場合が想定され、その場合について説明する。
【００２８】
独自番組一覧から独自番号を選択した時の処理としては、該当する番号の映像および音声に登録されているチャンネル番号からＰＡＴおよびＰＭＴデータを取得し、ＰＭＴに記載されているＥＳのＩＤ情報を取得するが、同一チャンネル内で番組の内容は変化しており、それに応じてチャンネルを構成しているＥＳのＩＤ情報も変化していることが考えられる。このため独自番組選択した後、登録されているＥＳのＩＤ情報が存在するか確認する必要がある。
【００２９】
取得したＥＳのＩＤ情報が登録済みのものと一致した場合はそのＥＳを再生する。一致しない場合は登録時のＥＳのＩＤ情報から変更になっているので、再度そのチャンネルのＥＳのＩＤ情報を取得する。再取得したＥＳのＩＤ情報について、映像あるいは音声のそれぞれのＥＳが複数存在する時は、どのＥＳを再生するかを選択する必要がある。選択する方法としては最初に取得したＥＳのＩＤ情報を選択する方法と選択する必要がある場合に選択するための選択画面を表示させてユーザに選択させる方法が考えられる。
【００３０】
独自番組を選択したが該当するＥＳのＩＤ情報が現在は存在せず、ＥＳのＩＤ情報を再取得する場合において、再取得したＥＳのＩＤ情報のうちどれを再生するかを選択する画面の例を図６に示す。
【００３１】
６０１は、再生しようとした独自番組の登録済みＥＳ情報が現在送出されておらず、再取得した番組構成要素（ＥＳ）を表示するためのメニュー画面である。６０２は、再取得した番組構成要素（ＥＳ）を表示し、ユーザが選択することで、表示されている番組構成要素（ＥＳ）を受信制御部２０１にて受信し再生部２０２にて再生する。６０２の選択項目数は、番組構成要素（ＥＳ）を示す。カーソル６０３は、ユーザが設定しようとしている選択項目を明示する。入力制御部でカーソル位置を特定の選択項目上に移動させ、特定の選択項目を選択すると、選択されている番組構成要素（ＥＳ）を再生することを決定する。ここで選択したＥＳのＩＤ情報を独自番組情報管理部に通知して、設定更新することもできる。
【００３２】
独自再生状態から通常視聴状態に戻す方法としては、再生中の映像を基準として映像が該当するチャンネルを再選局する方法、再生中の映像を基準として映像が該当するチャンネルを再選局する方法、元に戻す指令がされた時に都度前述の２つのどちらにするかを確認する方法がある。これらをユーザの嗜好に応じて設定することもできる。通常視聴状態に戻す時の処理を設定する画面の例を図７に示す。
【００３３】
メニュー７０１は、独自再生状態から通常視聴状態へ元に戻す時の処理を設定する項目を選択するための画面である。選択項目７０２は、通常視聴状態に戻す時に現在再生中の映像ＥＳが属するチャンネルを通常選局するように設定する。選択項目７０３は、通常視聴状態に戻す時に現在再生中の音声ＥＳが属するチャンネルを通常選局するように設定する。選択項目７０４は、通常視聴状態に戻す時に現在再生中の映像ＥＳあるいは現在再生中の音声ＥＳのいずれが属するチャンネルを通常選局するか、毎回確認する画面を表示し、ユーザが入力制御部にて選択した結果に基づき選択するように設定する。
【００３４】
カーソル７０５は、ユーザが設定しようとしている選択項目を明示する。入力制御部でカーソル位置を特定の選択項目上に移動させ、特定の選択項目を選択すると、その選択項目に該当する設定方法で、以後通常再生状態に復帰させることができる。７０６は、現在設定中の選択項目を示すための表示スペースである。７０７は、表示されている選択項目の内容が設定済みであることを示す。
【００３５】
メニュー７０１にて例えば選択項目７０２を選択した場合、あるいは放送受信機の設定として映像ＥＳが属するチャンネルを基準として元の通常番組再生状態に戻す場合、現行の放送受信機には、例えばメニュー画面やデータ放送画面を表示している状態から、通常の番組再生状態に簡単に戻す機能が備えられている。独自再生中の時にこの機能を使用すると、現在再生している映像あるいは音声が該当するチャンネルを従来の放送受信装置がもつ選局処理を行うことで、瞬時に通常再生状態に戻すことができる。図８において元に戻す毎にユーザに都度選択してもらう場合についても同様の処理で実現可能である。
【００３６】
カーソル７０４にて設定済みの場合あるいは放送受信機の設定として、通常再生状態に戻す指令があるたびに毎回ユーザに選択させる場合の選択画面の例を図８に示す。メニュー８０１は、独自再生状態から通常視聴状態へ元に戻す時の処理を選択するための画面である。選択項目８０２は、通常視聴状態に戻す時に現在再生中の映像ＥＳが属するチャンネルを通常選局する。選択項目８０３は、通常視聴状態に戻す時に現在再生中の音声ＥＳが属するチャンネルを通常選局する。カーソル８０４は、ユーザが選択しようとしている項目を明示する。入力制御部でカーソル位置を特定の選択項目上に移動させ、特定の選択項目を選択すると、その選択項目に該当する設定方法で通常再生状態に復帰させることができる。
【００３７】
映像や音声の番組構成要素（ＥＳ）それぞれについて一覧表示した時の例を図９に示す。この例では映像を切り替えるための選択画面としているが、音声やデータといった他の構成要素を切り替える選択画面であっても表示対象の構成要素が異なるだけであり、表示する方法としての構成には違いはない。設定画面９０１は、現在選択が有効になっていて再生中の内容表示と、選択をするための番組構成要素（ＥＳ）一覧から成る。番組番号９０２は、現在設定しようとしている独自番組の登録番号を表示し、入力制御部２０７にて、ユーザからの指令を受けて番組番号を切り換えることで、設定する独自番組の登録番号を切り換えることができる。
【００３８】
選択中チャンネル番号表示９０３は、現在再生中の番組構成要素（ＥＳ）が属するチャンネル番号を表示する。選択中番組構成要素（ＥＳ）表示９０４は、現在再生中の番組構成要素（ＥＳ）を表示する。番組構成要素（ＥＳ）一覧表示９０５は、現在送出中の番組構成要素（ＥＳ）を表示する。選択用カーソル９０６は、ユーザのリモコン入力による指令を入力制御部２０７が受け、カーソル位置を上下左右に移動させる。選択用カーソル９０６を移動させることでカーソル位置の番組構成要素（ＥＳ）を自動で選択決定し、再生中の番組構成要素（ＥＳ）を切り換えることもできる。
【００３９】
再生中マーク９０７は、選択中の番組構成要素（ＥＳ）である選択項目が一目でわかるように視認可能な表示にする。これは選択用カーソル９０６を移動させてからユーザ指令により選択する手段がある場合に、選択用カーソル９０６のある位置の番組構成要素（ＥＳ）と再生中の番組構成要素（ＥＳ）が異なるために必要である。選択用カーソル９０６をユーザ指令により移動させた時に、自動で再生する番組構成要素（ＥＳ）を切り換えるようにしている場合は、選択用カーソル９０６の位置に該当する番組構成要素（ＥＳ）と再生中の番組構成要素（ＥＳ）は一致するので再生中マーク９０６は不要である。
【００４０】
ＣＨ番号９０８は、一覧表示されている番組構成要素（ＥＳ）が属するチャンネルを表示することで、どのような番組構成要素（ＥＳ）なのか参考にすることができる。図９の番組番号９０２や選択用カーソル９０６を入力制御部２０７で受けたユーザ操作に従って移動・選択させることで、設定するＥＳを選択・決定させることができる。
【００４１】
番組構成要素（ＥＳ）の一覧表示は、要素種別ごとでなくても、同時に一覧表示にすることもできる。映像や音声の番組構成要素（ＥＳ）を同時に一覧表示した時の例を図１０に示す。
【００４２】
設定画面１００１は、現在選択が有効になっていて再生中の内容表示と、選択をするための番組構成要素（ＥＳ）一覧から成る。番組番号１００２は、現在設定しようとしている独自番組の登録番号を表示し、入力制御部２０７にて、ユーザからの指令を受けて番組番号を切り換えることで、設定する独自番組の登録番号を切り換えることができる。選択中チャンネル番号表示１００３は、現在再生中の番組構成要素（映像ＥＳ）が属するチャンネル番号を表示する。選択中番組構成要素（ＥＳ）表示１００４は、現在再生中の番組構成要素（映像ＥＳ）を表示する。
【００４３】
選択中チャンネル番号表示１００５は、現在再生中の番組構成要素（音声ＥＳ）が属するチャンネル番号を表示する。選択中番組構成要素（ＥＳ）表示１００６は、現在再生中の番組構成要素（音声ＥＳ）を表示する。番組構成要素（ＥＳ）一覧表示１００７は、現在送出中の番組構成要素（映像ＥＳ）を表示する。番組構成要素（ＥＳ）一覧表示１００８は、現在送出中の番組構成要素（音声ＥＳ）を表示する。選択用カーソル１００９は、ユーザのリモコン入力による指令を入力制御部２０７が受け、カーソル位置を上下左右に移動させる。選択用カーソル９０６を移動させることでカーソル位置の番組構成要素（ＥＳ）を自動で選択決定し、再生中の番組構成要素（ＥＳ）を切り換えることもできる。
【００４４】
再生中マーク１０１０は、選択中の番組構成要素（映像ＥＳ）である選択項目が一目でわかるように視認可能な表示にする。これは選択用カーソル１００９を移動させてからユーザ指令により選択する手段がある場合に、選択用カーソル１００９のある位置の番組構成要素（ＥＳ）と再生中の番組構成要素（ＥＳ）が異なるために必要である。選択用カーソル１００９をユーザ指令により移動させた時に、自動で再生する番組構成要素（ＥＳ）を切り換えるようにしている場合は、選択用カーソル１００９の位置に該当する番組構成要素（ＥＳ）と再生中の番組構成要素（ＥＳ）は一致するので再生中マーク１０１０は不要である。再生中マーク１０１１は、選択中の番組構成要素（音声ＥＳ）である選択項目が一目でわかるように視認可能な表示にする。これは選択用カーソル１００９を移動させてからユーザ指令により選択する手段がある場合に、選択用カーソル１００９のある位置の番組構成要素（ＥＳ）と再生中の番組構成要素（ＥＳ）が異なるために必要である。再生中マーク１０１１も再生中マーク１０１０と同様に、選択用カーソル１００９をユーザ指令により移動させた時に、自動で再生する番組構成要素（ＥＳ）を切り換えるようにしている場合は、選択用カーソル１００９の位置に該当する番組構成要素（ＥＳ）と再生中の番組構成要素（ＥＳ）は一致するので再生中マーク１０１０は不要である。
【００４５】
ＣＨ番号１０１２は、一覧表示されている番組構成要素（ＥＳ）が属するチャンネルを表示することで、どのような番組構成要素（ＥＳ）なのか参考にすることができる。図１０の番組番号１００２や選択用カーソル１００９を入力制御部２０７で受けたユーザ操作に従って移動・選択させることで、設定するＥＳを選択・決定させることができる。
【００４６】
本発明の実施例ではチューナーが１つの場合について説明したが、チューナーが２つの場合においても同様の方法で実現可能である。さらにこの場合は２チューナーで現在再生中の受信周波数以外の放送信号も受信可能であるため、多くの放送の信号を対象とした独自番組を作成・視聴することができる。また、本発明の実施例では映像と音声を例にしたが、番組を構成する要素として、データ放送を含めてもよい。
【産業上の利用可能性】
【００４７】
本発明の放送受信装置は、別のチャンネルの映像と音声を同時に再生することで、例えばラジオチャンネルの音声を聴きながら、他のチャンネルの映像を楽しむといったことが１台の放送受信装置で可能となるため、１チューナー搭載の放送受信装置で有用である。
【図面の簡単な説明】
【００４８】
【図１】従来例の放送受信装置のハードウェア構成図
【図２】本発明の放送受信装置のソフトウェア構成図
【図３】情報管理部および独自番組情報管理部にて保持する情報リストを示す図
【図４】独自番組関連メニュー画面を示す図
【図５】独自番組一覧表示画面を示す図
【図６】独自番組構成要素の選択確認画面を示す図
【図７】独自再生状態から通常視聴状態に戻す時の設定画面を示す図
【図８】独自再生状態から通常視聴状態に戻す時の選択画面を示す図
【図９】独自番組設定画面の例１を示す図
【図１０】独自番組設定画面の例２を示す図
【符号の説明】
【００４９】
２００    本発明のソフトウェア構成
２０１    受信制御部
２０２    再生部
２０３    情報取得部
２０４    情報管理部
２０５    独自番組情報管理部
２０６    表示部
２０７    入力制御部
２０８    通信制御部
３０１    情報管理部にて保持する情報一覧
３０２    独自番組情報管理部にて保持する情報一覧
４０１    独自番組メニュー
４０２    独自番組メニュー選択項目１
４０３    独自番組メニュー選択項目２
４０４    独自番組メニュー選択項目３
４０５    独自番組メニュー選択用カーソル
５０１    独自番組一覧表示
５０２    独自番組登録番号
５０３    独自番組登録内容（映像ＥＳ）
５０４    独自番組登録内容（音声ＥＳ）
５０５    独自番組一覧選択用カーソル
６０１    独自番組再設定画面
６０２    独自番組再選択用の選択項目
６０３    独自番組再設定のためのカーソル
７０１    通常視聴状態復帰設定用画面
７０２    通常視聴状態復帰設定内容１
７０３    通常視聴状態復帰設定内容２
７０４    通常視聴状態復帰設定内容３
７０５    通常視聴状態復帰設定のためのカーソル
７０６    通常視聴状態復帰設定状態表示スペース
７０７    通常視聴状態復帰設定有効内容表示
８０１    通常視聴状態復帰選択画面
８０２    通常視聴状態復帰内容１
８０３    通常視聴状態復帰内容２
８０４    通常視聴状態復帰選択用カーソル
９０１    独自番組設定画面１
９０２    独自番組設定番号表示
９０３    独自番組設定チャンネル表示
９０４    独自番組設定ＥＳ表示
９０５    独自番組設定用ＥＳ選択項目
９０６    独自番組設定用ＥＳ選択用カーソル
９０７    独自番組設定中ＥＳ表示
９０８    独自番組設定用ＥＳ該当チャンネル表示
１００１    独自番組設定画面２
１００２    独自番組設定番号表示
１００３    独自番組設定映像ＥＳチャンネル表示
１００４    独自番組設定映像ＥＳ表示
１００５    独自番組設定音声ＥＳチャンネル表示
１００６    独自番組設定音声ＥＳ表示
１００７    放送中映像ＥＳ表示
１００８    放送中音声ＥＳ表示
１００９    独自番組設定用カーソル
１０１０    独自番組設定中映像ＥＳ表示
１０１１    独自番組設定中音声ＥＳ表示
１０１２    独自番組設定用ＥＳ該当チャンネル表示
【図１】
2006041978.tif 000003
【図２】
2006041978.tif 000004
【図３】
2006041978.tif 000005
【図４】
2006041978.tif 000006
【図５】
2006041978.tif 000007
【図６】
2006041978.tif 000008
【図７】
2006041978.tif 000009
【図８】
2006041978.tif 000010
【図９】
2006041978.tif 000011
【図１０】
2006041978.tif 000012